(57)【要約】      （修正有）【課題】切り取った帯状切取片が元のように再貼付される虞がなく、且つ開封したことが一目瞭然に判別することができる封緘ラベルを備える封緘ラベル付き容器を提供する。【解決手段】封緘ラベル３は、ラベル３の一方向一側端部５ａにラベル３の一方向他側端部５ｂを重ね合わせて貼り付けることによりオーバーラップ部３１が形成されており、封緘ラベル３の面内には、容器本体２１と蓋体２２の境界部分２３を横断する位置に開封起点用切り目６が形成されていると共に、この切り目６の両端部６ａ，６ａからラベル３の一側端部５ａ側に延びる２条の切取補助線７，７が形成されており、容器本体２１の表面及び蓋体２２の表面に対応したラベル３の裏面が、容器２に対して接着可能とされ、２条の切取補助線７，７間に於けるラベル３の裏面が、容器２に対して非接着とされている。【選択図】図１
2008222243.tif 000002
【特許請求の範囲】
【請求項１】
容器本体と該容器本体に設けられた蓋体を有する容器と、容器本体と蓋体に跨った状態でその全周に亘って巻き付けられた封緘ラベルと、を備える封緘ラベル付き容器であって、
封緘ラベルは、ラベルの一方向一側端部上にラベルの一方向他側端部を重ね合わせて貼り付けることによりオーバーラップ部が形成されており、
封緘ラベルの面内には、容器本体と蓋体の境界部分を横断する位置に開封起点用切り目が形成されていると共に、この切り目の両端部からラベルの前記一側端部側に延びる２条の切取補助線が形成されており、
容器本体の表面及び蓋体の表面に対応したラベルの裏面が、容器に対して接着可能とされ、２条の切取補助線間に於けるラベルの裏面が、容器に対して非接着とされていることを特徴とする封緘ラベル付き容器。
【請求項２】
前記容器は、蓋体と容器本体を連結する連結部を有し、
この連結部の表面に於いて、前記封緘ラベルのオーバーラップ部が位置している請求項１に記載の封緘ラベル付き容器。
【請求項３】
容器本体と該容器本体に設けられた蓋体を有する容器の、容器本体と蓋体に跨った状態でその全周に亘って巻き付けられて使用される封緘ラベルであって、
容器の周囲に巻き付けた際に、一方向一側端部上に一方向他側端部を重ね合せて貼り付け可能な長さのシートを有し、
前記シートの面内には、前記一方向と直交する方向に延びる開封起点用切り目が形成されていると共に、この切り目の両端部から前記一側端部側に延びる２条の切取補助線が形成されており、
２条を切取補助線を基準にして、該２条の切取補助線よりも外側領域に於けるシートの裏面が、容器に対して接着可能とされており、２条の切取補助線で囲われる内側領域に於けるシートの裏面が、容器に対して非接着とされていることを特徴とする封緘ラベル。
【発明の詳細な説明】
【技術分野】
【０００１】
本発明は、容器本体と蓋体に跨って貼付された封緘ラベルを備える封緘ラベル付き容器に関する。
【背景技術】
【０００２】
従来、容器本体と蓋体を有する容器について、該蓋体が未開封であることを保証するため、容器本体と蓋体に跨って封緘ラベルが貼着されている。
例えば、特許文献１には、裏面に粘着剤が塗布されたラベルの長手方向一側端から他側端にかけて、上下２条のミシン目が設けられ、この２条のミシン目間の端部に摘み部分が設けられた封印用ラベルが開示されている。
かかる封印用ラベルは、摘み部分を本体とキャップの合わせ目に位置させて、本体とキャップに跨って周方向に巻付け貼付されている。貼り付けられた封印用ラベルは、摘み部分に手を掛けて引っ張ると、２条のミシン目に沿って帯状の開封片が切り取られて、これによりキャップを開封できる。
【０００３】
しかしながら、上記従来の封緘ラベルは、ラベルの裏面全体に粘着剤が塗布されているので、一度、２条のミシン目に沿って帯状切取片を切り取った後、この帯状切取片を、切断した分断縁跡を一致させつつ、切取り前の位置に再貼付することができる。このように帯状切取片が再貼付されると、外見上、開封の有無が一目で判別し難い。従って、上記従来の封緘ラベルは、悪戯目的などで開封された場合、そのことが外見上明瞭に判別できず、その改善が求められる。
【０００４】
ところで、封緘ラベルは、様々な容器の封緘に用いられているが、例えば、医薬品が封入された容器にも封緘ラベルが貼付されている。医薬品容器に於いても封緘ラベルの貼付目的は、未開封であることを保証するためであるが、医薬品容器は、主として病院で使用されるが故に、下記のような特有の事情がある。
一般に、病院では、複数の患者に投与する医薬品容器を１つのワゴン車などに区分けして、ナースステーションから病室へ運び、それを患者毎に投与している。本来、患者に投与する直前に医薬品容器に貼付された封緘ラベルを開封すべきところ、ナースステーションなどで、ワゴン車に乗せる全ての医薬品容器についてその封緘ラベルを予め開封しておく場合がある。このように封緘ラベルを予め開封しておくと、投与時、施術者が、封緘ラベルの開封作業を個々に行う必要がなく、医薬品投与の効率化を図ることができる。
【０００５】
しかしながら、予め医薬品容器の封緘ラベルが開封されていると、医薬品の一部を使用した医薬品容器と未使用の医薬品容器の区別を外見上一目瞭然に判別できない。このため、施術者が、ある患者用の特定の医薬品容器と既に使用した医薬品容器とを取り違え、該既使用の医薬品容器に残る医薬品を誤って患者に投与する虞があるという問題点が指摘されている。
特に、病院に於いては、予期しない緊急事態が生じ、急いで患者に医薬品を投与しなければならないこともある。このような緊急性を要する場合、上記従来の封緘ラベルが予め開封された状態の医薬品容器が病室に提供されていると、上記のように、施術者が医薬品容器の混同を起こし易い。
以上のような事情から、予め封緘ラベルを開封しておいても、患者に投与する際、単に封緘ラベルを開封しただけの医薬品容器なのか、それとも一度医薬品を投与した医薬品容器なのか、両者の区別を外見上一目瞭然に判別できるような封緘ラベルが求められている。
【特許文献１】実開平３−４５５７８号公報
【発明の開示】
【発明が解決しようとする課題】
【０００６】
そこで、本発明は、切り取った帯状切取片が元のように再貼付される虞がなく、且つ開封したことが一目瞭然に判別することができる封緘ラベルを備える封緘ラベル付き容器、及び封緘ラベルを提供することを課題とする。
【課題を解決するための手段】
【０００７】
本発明の第１の解決手段である封緘ラベル付き容器は、容器本体と該容器本体に設けられた蓋体を有する容器と、容器本体と蓋体に跨った状態でその全周に亘って巻き付けられた封緘ラベルと、を備え、封緘ラベルは、ラベルの一方向一側端部上にラベルの一方向他側端部を重ね合わせて貼り付けることによりオーバーラップ部が形成されており、封緘ラベルの面内には、容器本体と蓋体の境界部分を横断する位置に開封起点用切り目が形成されていると共に、この切り目の両端部からラベルの一側端部側に延びる２条の切取補助線が形成されており、容器本体の表面及び蓋体の表面に対応したラベルの裏面が、容器に対して接着可能とされ、２条の切取補助線間に於けるラベルの裏面が、容器に対して非接着とされていることを特徴とする。
ここで、ラベルの一方向とは、ラベルが容器に巻き付けられた状態に於いて、容器の周方向に相当する。
【０００８】
かかる封緘ラベル付き容器は、開封起点用切り目の縁を指で掴み、これをラベルの一側端部方向に引き出すことにより、２条の切取補助線に沿って帯状切取片が切り取られ、封緘ラベルを開封できる。
上記封緘ラベルは、２条の切取補助線間に於けるラベルの裏面が容器に対して非接着とされている。このため、２条の切取補助線に沿って切り取られた帯状切取片は、容器に再貼付することができず、従って、看者は、既に封緘ラベルが開封されたことを、外見上一目瞭然に判別することができる。
さらに、上記巻き付けられた封緘ラベルのオーバーラップ部は、ラベルの一側端部上に他側端部を重ね合わせた構成とされており、２条の切取補助線は、ラベルの一側端部側に延びて形成されている。このため、２条の切取補助線に沿って一側端部方向に帯状切取片を切り取る際、それが一側端部の表面上に重ねられた他側端部の縁にまで至ると、該他側端部の縁を越えて切り取られない。従って、開封後の帯状切取片は、封緘ラベルから完全に分離されず、その基部が封緘ラベルに繋がっているため、該帯状切取片が、容器から延び出た状態となる。
かかる帯状切取片が容器から出ている状態を見れば、看者は、既に開封されたことを一目瞭然に判別することができる。
また、上記封緘ラベル付き容器が医薬品容器に適用された場合、投与前に封緘ラベルを予め開封しておいても、施術者は、上記のように延び出た帯状切取片を見れば、予め封緘ラベルのみを開封しておいた医薬品容器であることを判別できる。他方、医薬品を投与する際、施術者が、延び出た帯状切取片を引き千切れば、帯状切取片が完全に切り取られている容器は、既に医薬品を投与した医薬品容器であることを判別できる。
【０００９】
本発明の好ましい封緘ラベル付き容器は、上記容器が蓋体と容器本体を連結する連結部を有し、この連結部の表面に於いて、上記封緘ラベルのオーバーラップ部が位置している。
該好ましい封緘ラベル付き容器は、連結部の表面にオーバーラップ部が位置している、すなわち、連結部の表面に、ラベルの一方向一側端部を貼り付け、巻き付け後、その一側端部の表面上に他側端部を重ね合わせて貼り合わせている。従って、一側端部の表面を押圧して該一側端部の裏面を連結部の表面に貼り付ける際、その押圧力が一側端部の裏面全体に略均等に作用し、一側端部を確実に貼り付けることができる。なお、この一側端部の上に重ねられた他側端部についても同様に、確実に貼り付けることができる。
【００１０】
また、本発明の第２の解決手段である封緘ラベルは、容器本体と該容器本体に設けられた蓋体を有する容器の、容器本体と蓋体に跨った状態でその全周に亘って巻き付けられて使用される封緘ラベルであって、容器の周囲に巻き付けた際に、一方向一側端部上に一方向他側端部を重ね合せて貼り付け可能な長さのシートを有し、シートの面内には、前記一方向と直交する方向に延びる開封起点用切り目が形成されていると共に、この切り目の両端部から前記一方向一側端部側に延びる２条の切取補助線が形成されており、２条を切取補助線を基準にして、該２条の切取補助線よりも外側領域に於けるシートの裏面が、容器に対して接着可能とされており、２条の切取補助線で囲われる内側領域に於けるシートの裏面が、容器に対して非接着とされていることを特徴とする。
【発明の効果】
【００１１】
本発明の封緘ラベル付き容器は、切り取った帯状切取片が元のように再貼付される虞がないので、悪戯目的などで開封されても、そのことを外見上で確実に判別することができる。また、本発明のラベル付き容器は、例えば医薬品容器に適用された場合、封緘ラベルの用法に従い、一度医薬品を投与した容器であるのか或いは医薬品未使用の容器であるのか、の区別を外見上で確実に判別できる。
また、本発明の封緘ラベルは、これを容器に巻き付けて使用することにより、上記封緘ラベル付き容器を構成できる。
【発明を実施するための最良の形態】
【００１２】
以下、本発明について、図面を参照しつつ具体的に説明する。
図１〜図３に於いて、１は、容器本体２１と該容器本体２１に設けられた蓋体２２を有する容器２と、容器本体２１と蓋体２２に跨った状態でその全周に亘って巻き付けられた封緘ラベル３と、を備える封緘ラベル付き容器を示す。
【００１３】
容器２は、特に限定されず、様々な形状及び材質の容器に本発明を適用できる。
容器２の形状は、例えば、容器本体２１及び蓋体２２が中空円柱形状のものや、その他、図示しないが、容器２の全体形状が所謂ボトル形状、医薬品容器として広く用いられているバイアル瓶形状、その他任意の形状のものを用いることができる。容器２の材質についても、合成樹脂製、ガラス製、陶器製など任意である。
【００１４】
容器２の蓋体２２は、収納物を収納可能な収納部を有する容器本体２１の開口部を開閉できるものであれば、蓋体２２の容器本体２１に対する装着手段は特に限定されない。例えば、蓋体２２が、容器本体２１にネジ作用によって着脱可能に装着されるものや、蓋体２２が、容器本体２１の上から押圧することにより、容器本体２１に嵌着脱可能に装着されるものなどが挙げられる。
容器２の蓋体２２と容器本体２１は、蓋体２２を容器本体２１に装着した状態に於いて、蓋体２２の外面下方部と容器本体２１の外面上方部（すなわち、封緘ラベル３の巻き付け部分）が、略同一面を構成するものが好ましい。図示した例では、蓋体２２及び容器本体２１共に、略同径の円筒状のものであり、少なくとも蓋体２２の外面下方部と容器本体２１の外面上方部は、略同一面を構成している。
【００１５】
次に、図４〜図５も併せて参照しつつ、封緘ラベル３の構成について説明する。
封緘ラベル３は、主として帯状のシート５から形成されている。
シート５の材質としては、特に限定されず、紙、合成紙、合成樹脂シート、金属蒸着シート、これらの積層シートなどが挙げられる。なお、シートとは、一般にフィルムと呼ばれるものを含む意味である。シート５は、所定温度（例えば、７０℃〜１００℃程度）で少なくとも一方向（ラベルが容器に巻き付けられた状態に於いて、容器の周方向）に熱収縮しうる熱収縮性シートを用いることもできるが、通常、熱収縮しない非熱収縮性シートが用いられる。
シート５は、汎用的な粘着ラベルの基材と同程度の剛性を有するシートが用いられ、好ましくは、剛性を有し且つ強く引っ張ることで千切れ得るシートであり、かかる好ましいシートとしては、例えば、紙の他、少なくとも一方向に延伸処理が施された一軸または二軸延伸シートなどが挙げられる。
シート５の厚みは、特に限定されないが、合成樹脂シートを用いる場合には、３０μｍ〜１００μｍ程度のものが好ましい。紙を用いる場合には目付量６０〜１００ｇ／ｍ２程度のものが好ましい。
【００１６】
シート５の一方向Ｘに於ける長さは、封緘ラベル３を容器２に巻き付けた際に、シート５の一方向一側端部５ａ上に一方向他側端部５ｂを重ね合せることができる長さに形成されている。また、シート５の他方向Ｙ（前記一方向Ｘに対して、シート５の面内に於いて直交する方向）に於ける長さは、封緘ラベル３を容器本体２１及び蓋体２２に跨って貼り付けることができる長さに形成されている。従って、シート５の一方向長さ及び他方向長さは、容器２の大きさや形状等に合わせて適宜設計される。
なお、本明細書に於いて、シート５（封緘ラベル３）の一方向Ｘとは、封緘ラベル３を容器２に巻き付けた際の、容器２の周方向に相当する。
本実施形態では、図４に示すように、縦横比の異なる帯状のシート５が用いられ、シート５の一方向Ｘが長手方向で、他方向Ｙが短手方向とされている。もっとも、シート５の形状は、封緘ラベル３の容器２に対する貼付範囲や容器２の形状などに応じて適宜設計されるので、縦横比が同じシート５や、一方向Ｘが短手方向となる帯状のシート５などを用いることもできる。
【００１７】
上記シート５の裏面（装着時に容器２に近接する側の面）には、容器２の容器本体２１の外面及び蓋体２２の外面に接着する接着領域５１と、これら容器２の外面に接着しない非接着領域５２と、が形成されている。
この接着領域５１は、シート５の裏面全体に積層された粘着剤層４１の露出面から構成されており、非接着部領域５２は、前記粘着剤層４１の粘着力を隠蔽したマスキング層４２の露出面から構成されている。
また、上記シート５の面内には、他方向Ｙに延びる開封起点用切り目６と、この切り目６の両端部６ａ，６ａから一方向一側端部５ａ側に延びる２条の切取補助線７，７と、が形成されている。
具体的には、開封起点用切り目６は、シート５の面内であって他側端部５ｂ寄り中央部に、他方向Ｙに延びる有端線状に形成されている。該切り目６は、シート５（シート５の裏面に設けられた粘着剤層４１やマスキング層４２を含む）の厚み方向に貫通する孔が線状に繋がった切断線である。本実施形態では、切り目６は、他側端部５ｂ側に膨らむ平面視略半円状に形成されている。
【００１８】
一方、２条の切取補助線７，７は、シート５の面内であって切り目６の両端部６ａ，６ａから一側端部５ａ方向に延びるように形成されている。該２条の切取補助線７，７の端部７ａ，７ａは、シート５の一側端部５ａの縁５ａ’にまで至らず、該一側端部５ａの近傍位置にまで形成されている。
切取補助線７としては、ミシン目線、長状切り目線、ハーフカット線などが挙げられ、これらは単独でまたは適宜組み合わせて用いることができる。ミシン目線７は、図６（ａ）及び（ｂ）に示すように、ミシン針の縫い目跡の如く、シート５の厚み方向に貫通する貫通孔７１が断続的に刻設された線である。長状切り目線７は、同図（ｃ）に示すように、シート５の厚み方向に貫通する貫通孔が線状に繋がった長い切断線７２を有し、隣合う切断線７２，７２の間に非切断部７３が残されているものである。ハーフカット線は、（シート５を貫通せず）シートの厚み方向に略Ｖ字状に切り込んだ刻み部が連続する線である（図示せず）。本発明では、形成容易で、且つ切取り性にも優れていることから、切取補助線７として、ミシン目線又は長状切り目線を用いることが好ましい。
ミシン目線の貫通孔の形状は特に限定されず、円状（楕円状を含む）、細長い線状の何れでもよい。ミシン目線の貫通孔の長さ（貫通孔が円状の場合には直径。貫通孔が細長い線状の場合にはその長手方向の長さ）と非貫通部の長さ（隣合う貫通孔の間隔）は、特に限定されず、適宜に設計できる。同図（ｂ）に示すミシン目線は、所謂マイクロミシン目と呼ばれているもので、貫通孔の長さと非貫通部の長さが、それぞれ０．３ｍｍ〜０．８ｍｍ程度に形成される。
【００１９】
次に、シート５の裏面に設けられた粘着剤層４１を隠蔽するマスキング層４２は、上記２条の切取補助線７，７で囲われる内側領域に形成されている。
具体的には、シート５の裏面に、粘着剤を実質的にベタ状に塗工することにより、粘着剤層４１が積層されており、この粘着剤層４１の粘着力を隠蔽するために、マスキング層４２が設けられている。
マスキング層４２の形成材料としては、紫外線硬化型インキなどを用いることができ、粘着剤としては、アクリル系、ウレタン系、ゴム系などの感圧型粘着剤などを用いることができる。
マスキング層４２は、粘着剤層４１の裏面のうち、切り目６及び２条の切取補助線７，７で囲われた内側領域に設けられていると共に、該切り目６及び２条の切取補助線７，７の外側領域に於いて、切り目６及び切取補助線７，７に沿って僅かに拡がって設けられている。
なお、平面視略半円状の切り目６で囲われた部分は、不用意に容器から捲れる虞があるため、上記２条の切取補助線７，７で囲われた内側領域であって、切り目６の両端部６ａ，６ａの間に於ける細帯状の領域には、マスキング層４２が設けられておらず、粘着剤層４１を露出させている。かかる細帯状領域が、封緘ラベル３を巻き付けたときに、容器２に弱く接着することにより、切り目６で囲われた部分の捲れを防止できる。また、２条の切取補助線７，７で囲われた内側領域のうち、粘着剤層４１を露出させた部分を、上記のように細帯状とすることにより、帯状切取片を切取った後、該帯状切取片を再貼付できないようにしている。
【００２０】
上記マスキング層４２が設けられた領域は、容器２に対して非接着となる非接着領域５２である。一方、切り目６の外側領域及び２条の切取補助線７，７の外側領域は、（実質的にマスキング層４２が設けられておらず）粘着剤層４１が露出しており、容器２に対して接着する接着領域５１である。
【００２１】
上記構成からなる封緘ラベル３は、容器本体２１と蓋体２２の境界部分２３を含み、容器本体２１の外面上方部と蓋体２２の外面下方部に跨って貼り付けられている。
具体的には、封緘ラベル３は、図７に示すように、その一方向一側端部５ａを容器本体２１の外面上方部と蓋体２２の外面下方部に跨って貼り付け、容器２の周方向に巻き付けた後、その他側端部５ｂを前記一側端部５ａの表面上に重ね合わせ、該他側端部５ｂの裏面を一側端部５ａの表面に貼り付けている。
このように封緘ラベル３を容器２に巻き付けることにより、図１〜図３に示す封緘ラベル付き容器１が構成されている。
封緘ラベル３の一側端部５ａと他側端部５ｂの貼り合わせ部分は、封緘ラベル３のオーバーラップ部３１とされている。該オーバーラップ部３１に於いて、一側端部５ａと他側端部５ｂの重ね代長さは、好ましくは３ｍｍ以上であり、より好ましくは５ｍｍ以上である。この重ね代長さが余りに短いと、切取補助線７に沿って帯状切取片を切り取る際に、引き出した帯状切取片によって、オーバーラップ部３１の他側端部５ｂが起こされて剥がれる虞があり、その結果、帯状切取片の切取り過ぎを止めることができないからである。なお、重ね代長さの上限は、シートの切れ易さなどに応じて適宜設計されるが、通常、１０ｍｍ以下程度である。
【００２２】
上記封緘ラベル付き容器１は、容器本体２１と蓋体２２の境界部分２３を横断するように、封緘ラベル３の開封起点用切り目６が位置しており、前記境界部分２３を上下で挟むように、２条の切取補助線７，７が位置している。
さらに、上記封緘ラベル付き容器１は、上記接着領域５１を介して、封緘ラベル３の一方向一側端部５ａが、全幅に亘って容器２（容器本体２１及び蓋体２２）の外面に接着され、封緘ラベル３の他方向上側端部が、蓋体２２の外面に接着され、封緘ラベル３の他方向下側端部が、容器本体２１の外面に接着され、封緘ラベルの一方向他側端部５ｂが、全幅に亘って一側端部５ａの表面に接着されている。
一方、２条の切取補助線７，７間に於ける封緘ラベル３の裏面は、非接着領域であるため、容器２に接着していない。
【００２３】
上記封緘ラベル付き容器は、図８（ａ）に示すように、開封起点用切り目６からその縁を指で掴み、これを封緘ラベル３の一側端部５ａ方向に引き出すことにより、２条の切取補助線７，７に沿って帯状切取片９が切り取られ、封緘ラベル３を開封できる。
２条の切取補助線７，７の間は、非接着領域５２であるため、上記帯状切取片９は、容器に再貼付することができない。従って、悪戯目的などで封緘ラベル３が開封されたとしても、看者は、そのことを外見上一目瞭然に判別することができる。
【００２４】
さらに、２条の切取補助線７，７に沿って切り取り、帯状切取片９が一側端部５ａの表面上に重ねられた他側端部５ｂの縁５ｂ’にまで至ると、図８（ｂ）に示すように、該他側端部５ｂがストッパーとなり、帯状切取片９は、他側端部５ｂの縁５ｂ’を越えて切り取られない。従って、開封後の帯状切取片９は、封緘ラベル３から完全に分離されず、その基部が封緘ラベル３に繋がっているため、図８（ａ）に示すように、該帯状切取片３が、容器から延び出た状態となる。
かかる帯状切取片９が容器２から出ている状態を見れば、看者は、既に開封されたことを一目瞭然に判別することができる。
【００２５】
なお、封緘ラベル３は、上記シート５からなるので、帯状切取片９が他側端部５ｂの縁５ｂ’にまで至ったときに、帯状切取片９を強く引っ張ればシート５が千切れ、該帯状切取片９を封緘ラベル３から完全に分離することも可能である。
本発明の封緘ラベル付き容器１が、医薬品容器に適用された場合、投与前に封緘ラベル３を予め開封する際には、帯状切取片９を他側端部５ｂの縁５ｂ’まで切取っておけば、施術者は、開封作業を行う必要がなく、且つ、封緘ラベル３に残っている帯状切取片９を見れば、開封作業済みの医薬品容器を一目で判別できる。他方、医薬品を投与する際、施術者が、延び出た帯状切取片９を上記のようにして引き千切っておけば、帯状切取片９が完全に切り取られて容器２の境界部分２３が現出している医療用容器は、既に医薬品を投与した医薬品容器であることを判別できる。例えば、このような用法にて封緘ラベル３の帯状切取片９を利用すれば、誤って医薬品を投与することを防止することも可能である。
【００２６】
なお、本発明は、上記実施形態に限られず、本発明の意図する範囲で種々に設計変更することができる。
例えば、上記実施形態では、切取補助線７の端部７ａは、シート５の一側端部５ａの近傍位置まで形成されているが、例えば、図９（ａ）に示すように、切取補助線７がシート５の一側端部５ａの縁５ａ’にまで延びて形成されていてもよい。このように切取補助線７が一側端部５ａの縁５ａ’まで形成されていても、一側端部５ａの上に他側端部５ｂが貼り付けられ、該他側端部５ｂがストッパーとして機能するので、切取補助線７，７に沿って帯状切取片９が、他側端部５ｂの縁５ｂ’を越えて切り取られる虞はない。
【００２７】
また、上記実施形態では、２条の切取補助線７，７は、一方向Ｘに平行に形成されているが、例えば、図９（ｂ）に示すように、２条の切取補助線７，７が、一方向Ｘに対して傾斜状に延びて形成されていてもよい。
【００２８】
さらに、上記実施形態では、シート５の他側端部５ｂの縁５ｂ’は、直線状の辺からなるが、例えば、図１０（ａ）に示すように、他側端部５ｂの縁５ｂ’に、一方向Ｘへ延びる切込み線６１が形成されていてもよい。
この切込み線６１は、例えば、１本形成されていてもよいし、２本以上形成されていてもよい。ただし、該切込み線６１は、図１０（ｂ）に示すように、封緘ラベル３を容器２に巻き付けた際、オーバーラップ部３１に於いて、２条の切取補助線７，７の端部７ａ，７ａの一方向延長線上に位置しないように形成される。また、該切込み線６１の端部６１ａは、切り目６や切取補助線７に交わらないように形成される。通常、切込み線６１は、切り目６にまで至らない数ミリ程度に形成される。
かかる切込み線６１が設けられている場合、同図（ｂ）に示すように、他側端部５ｂがストッパーとして機能するので、帯状切取片９が、他側端部５ｂの縁５ｂ’を越えて切り取られず、上記と同様の効果を奏する。一方、該帯状切取片９を強く引っ張ると、切込み線６１にて開裂して、オーバーラップ部３１に於ける他側端部５ｂが剥離し易くなる。本変形例は、オーバーラップ部３１に於いて、一側端部５ａと他側端部５ｂが極めて強く接着している場合であって、帯状切取片９を最終的に引千切る使用法の場合に、特に有効な態様である。
【００２９】
また、上記実施形態では、封緘ラベル３の接着領域４１及び非接着領域４２の形成手段として、シート５の裏面全体に設けた粘着剤層４１にマスキング層４２を設ける手段を例示したが、これに代えて、例えば、シート５の裏面のうち、接着領域５１を形成した部分にのみ粘着剤を塗布する手段でもよい。
【００３０】
また、上記実施形態では、蓋体２２が容器本体２１から完全に取り外し可能な容器２を例示したが、例えば、図１１（ａ）に示すように、蓋体２２と容器本体２１が連結部２４を介して連結され、該連結部２４に於いて蓋体２２を回動させて容器本体２１に嵌着可能に装着される容器２を用いることもできる。
なお、連結部２４は、所謂ヒンジ部の如く、蓋体２２を回動可能に容器本体２１と連結するものに限られず、連結部２４は、開栓前には蓋体２２と容器本体２１を連結しており、開栓後に蓋体２２と容器本体２１から取り除かれるものでもよい（例えば、ネジ作用によって容器本体に取り付けられている蓋体を開栓した時に、蓋体と容器本体の間を連結している輪状の連結部が取り除かれるものなど）。
【００３１】
この連結部２４を有する容器２に封緘ラベル３を貼付して封緘ラベル付き容器１を構成する場合、図１１（ｂ）に示すように、連結部２４の表面にオーバーラップ部３１を位置させることが好ましい。
具体的には、容器２の連結部２４の表面に、封緘ラベル３の一側端部５ａを貼り付け、該ラベルを巻き付け後、その一側端部５ａの表面上に他側端部５ｂを重ね合わせて貼り合わせることにより、連結部２４の表面にオーバーラップ部３１が配置される。このように連結部２４の表面にオーバーラップ部３１を配置することにより、封緘ラベル３の一側端部５ａ及び他側端部５ｂを確実に貼り付けることができる。
【００３２】
また、上記実施形態の封緘ラベル付き容器１に於いては、悪意者が、２条の切取補助線７，７を利用せず、例えば、オーバーラップ部３１に於ける他側端部５ｂを捲り、封緘ラベル３を取り外すことも考えられる。このような悪戯を防止する意味で、接着領域５１に、ラベルの接着領域５１を容器２から剥離した際、粘着剤層４１の一部またはラベル３を構成するシート（この場合、シートは、層間剥離可能な２層以上の積層シートが用いられる）の一部が、容器２の外面に残るような手段を施してもよい。例えば、ラベルの接着領域５１を容器２から剥離した際、容器２の外面に「開封済」という文字が残るような手段が例示される。
【図面の簡単な説明】
【００３３】
【図１】本発明の封緘ラベル付き容器の一実施形態を示す正面図。ただし、切取補助線が形成された部分を、一点鎖線で表している（以下、図２、図４、図７、図９、図１０についても同様）。
【図２】同背面図。
【図３】図１のI−I線部分断面図。
【図４】本発明の封緘ラベルの一実施形態を示す裏面側から視た平面図。ただし、非接着領域を薄墨塗りで表している。
【図５】（ａ）は、図４のII−II線断面図、（ｂ）は、図４のIII−III線断面図。
【図６】（ａ）〜（ｃ）は、それぞれ切取補助線の具体的構成例を示す一部省略参考平面図。
【図７】封緘ラベルを容器に巻き付ける過程を示す正面図。
【図８】（ａ）は、切取補助線に沿って帯状切取片を切り取った状態を示す正面図、（ｂ）は、IV−IV線部分断面図。
【図９】（ａ）、（ｂ）は、それぞれ変形例の封緘ラベルを示す表面側から視た平面図。
【図１０】（ａ）は、変形例の封緘ラベルを示す表面側から視た平面図、（ｂ）は、同ラベルを容器に巻き付けた封緘ラベル付き容器を示す正面図。
【図１１】（ａ）は、変形例の容器を示す正面図、（ｂ）は、同容器に封緘ラベルが巻き付けられた封緘ラベル付き容器を示す正面図。
【符号の説明】
【００３４】
１…封緘ラベル付き容器、２…容器、２１…容器本体、２２…蓋体、２３…境界部分、２４…連結部、３…封緘ラベル、３１…オーバーラップ部、４１…粘着剤層、４２…マスキング層、５…シート、５ａ…一方向一側端部、５ｂ…一方向他側端部、５ｂ’…他側端部の縁、６…開封起点用切り目、６ａ…切り目の端部、７…切取補助線、Ｘ…一方向、Ｙ…他方向
【図１】
2008222243.tif 000003
【図２】
2008222243.tif 000004
【図３】
2008222243.tif 000005
【図４】
2008222243.tif 000006
【図５】
2008222243.tif 000007
【図６】
2008222243.tif 000008
【図７】
2008222243.tif 000009
【図８】
2008222243.tif 000010
【図９】
2008222243.tif 000011
【図１０】
2008222243.tif 000012
【図１１】
2008222243.tif 000013